(57)【要約】【課題】タッチパネルからの誤入力を確実に防止する。【解決手段】携帯電話装置１００は、タッチパネル２に対向する側に存在する物体Ｐを検出する近接センサ６と、近接センサ６の感度を調整する感度調整部７３と、電話での通話が開始されることを判定する通話開始判定部７２と、通話開始判定部７２によって電話での通話が開始されると判定され、且つ、近接センサ６によって物体が存在することが検出されている場合に、タッチパネル２を介する操作の受付を禁止する操作禁止部７６と、を備え、感度調整部７３が、通話開始判定部７２によって電話での通話が開始されると判定された場合に、近接センサ６の感度を上げる。【選択図】図４
2014011507.tif 000002
【特許請求の範囲】
【請求項１】
タッチパネルを介する操作が可能に構成された携帯電話装置であって、
前記タッチパネルに対向する側に存在する物体を検出する近接センサと、
前記近接センサの感度を調整する感度調整手段と、
電話での通話が開始されることを判定する通話開始判定手段と、
前記通話開始判定手段によって電話での通話が開始されると判定され、且つ、前記近接センサによって物体が存在することが検出されている場合に、前記タッチパネルを介する操作の受付を禁止する操作禁止手段と、を備え、
前記感度調整手段は、前記通話開始判定手段によって電話での通話が開始されると判定された場合に、前記近接センサの感度を上げることを特徴とする携帯電話装置。
【請求項２】
請求項１に記載の携帯電話装置であって、
前記通話開始判定手段は、発信操作、又は、着信時の通話開始操作が、前記タッチパネルを介して受け付けられた場合に、電話での通話が開始されると判定することを特徴とする携帯電話装置。
【請求項３】
請求項１又は請求項２に記載の携帯電話装置であって、
前記通話開始判定手段によって電話での通話が開始されると判定され、前記感度調整手段によって前記近接センサの感度が上げられた時点から、予め設定された閾値時間を経過するまでに、前記近接センサが物体を検出しているか否かを判定する過検出判定手段を更に備え、
前記感度調整手段は、前記過検出判定手段によって前記近接センサが物体を検出していると判定された場合に、前記近接センサの感度を下げることを特徴とする携帯電話装置。
【請求項４】
請求項３に記載の携帯電話装置であって、
前記操作禁止手段は、前記通話開始判定手段によって電話での通話が開始されると判定され、前記感度調整手段によって前記近接センサの感度が上げられた時点から、前記閾値時間を経過した後に、前記近接センサによって物体が存在することが検出されている場合に、前記タッチパネルを介する操作の受付を禁止することを特徴とする携帯電話装置。
【請求項５】
請求項３又は請求項４に記載の携帯電話装置であって、
前記感度調整手段は、前記近接センサの感度を通常感度と高感度とに切り換え可能に構成され、前記通話開始判定手段によって電話での通話が開始されると判定されている場合に、前記近接センサの感度を高感度に切り換え、前記過検出判定手段によって前記近接センサが物体を検出していると判定されている場合に、前記近接センサの感度を通常感度に切り換えることを特徴とする携帯電話装置。
【請求項６】
請求項１から請求項５のいずれか１つに記載の携帯電話装置であって、
前記操作禁止手段は、前記近接センサによって物体が存在することが検出されていない場合に、前記タッチパネルを介する操作の受付を許可することを特徴とする携帯電話装置。
【請求項７】
請求項１から請求項６のいずれか１つに記載の携帯電話装置であって、
前記通話が終了すると共に、前記近接センサによって物体が存在することが検出されていない場合に、前記操作禁止手段の動作を終了させる禁止動作終了手段を更に備えることを特徴とする携帯電話装置。
【請求項８】
請求項１から請求項７のいずれか１つに記載の携帯電話装置であって、
前記近接センサは、通話に用いられるスピーカの近傍に存在する物体を検出することを特徴とする携帯電話装置。
【請求項９】
請求項１から請求項８のいずれか１つに記載の携帯電話装置であって、
前記近接センサは、赤外線発光素子及び赤外線受光素子を備え、
前記感度調整手段は、前記赤外線受光素子の感度を調整することを特徴とする携帯電話装置。
【発明の詳細な説明】
【技術分野】
【０００１】
本発明は、タッチパネルを介する操作が可能に構成された携帯電話装置に関する。
【背景技術】
【０００２】
近年、タッチパネルを介する操作が可能に構成されたスマートフォン等の種々の携帯電話装置が提案されている。また、このような携帯電話装置で通話をするときに、タッチパネルが耳等に触れて誤動作しないように、タッチパネルをオフの状態にする（換言すれば、タッチパネルからの入力を禁止する）種々の装置、方法等が提案されている。
【０００３】
例えば、近接センサが人体への接近を検出したときタッチパネルからの情報入力を禁止する一方、加速度センサから出力される検出加速度が所定の閾値を越えた場合には、近接センサの感度を予め設定されている通常感度よりも高い感度に設定する携帯電話機が開示されている（特許文献１参照）。この携帯電話機によれば、ユーザが通常よりも速い速度でタッチパネル付き携帯電話機を耳等に近付けた場合であっても、タッチパネルからの誤入力を防止することができる。
【先行技術文献】
【特許文献】
【０００４】
【特許文献１】特開２０１１−６１３１６号公報
【発明の概要】
【発明が解決しようとする課題】
【０００５】
しかしながら、特許文献１に記載の携帯電話機では、加速度センサから出力される検出加速度が所定の閾値を越えた場合に、近接センサの感度が通常感度よりも高い感度に設定されるが、後述するように、近接センサの感度を適正に調整することができない虞があるため、タッチパネルからの誤入力を防止することができない場合がある。
【０００６】
すなわち、上記携帯電話機において、上記所定の閾値が適正な値に設定されていない場合には、近接センサの感度を適正に調整することができない。具体的には、前記所定の閾値が小さ過ぎる場合には、近接センサの感度が高過ぎる感度に設定されて、近接センサの過検出が発生する可能性がある。前記所定の閾値が大き過ぎる場合には、近接センサの感度が通常感度（低過ぎる感度）に設定されたままで、人体への接近を検出することができない可能性がある。
【０００７】
本発明は、上記課題に鑑みてなされたものであって、タッチパネルからの誤入力を確実に防止することが可能な携帯電話装置を提供することにある。
【課題を解決するための手段】
【０００８】
上記課題を解決するために、本発明に係る携帯電話装置は、以下のように構成されている。
【０００９】
すなわち、本発明に係る携帯電話装置は、タッチパネルを介する操作が可能に構成された携帯電話装置であって、前記タッチパネルに対向する側に存在する物体を検出する近接センサと、前記近接センサの感度を調整する感度調整手段と、電話での通話が開始されることを判定する通話開始判定手段と、前記通話開始判定手段によって電話での通話が開始されると判定され、且つ、前記近接センサによって物体が存在することが検出されている場合に、前記タッチパネルを介する操作の受付を禁止する操作禁止手段と、を備え、前記感度調整手段が、前記通話開始判定手段によって電話での通話が開始されると判定された場合に、前記近接センサの感度を上げることを特徴としている。
【００１０】
かかる構成を備える携帯電話装置によれば、近接センサによって、前記タッチパネルに対向する側に存在する物体が検出される。また、電話での通話が開始されると判定された場合に、前記近接センサの感度が上げられる。そして、電話での通話が開始されると判定され、且つ、前記近接センサによって物体が存在することが検出されている場合に、前記タッチパネルを介する操作の受付が禁止されるため、タッチパネルからの誤入力を確実に防止することができる。
【００１１】
すなわち、電話での通話が開始されると判定された場合に、前記近接センサの感度が上げられるため、前記近接センサによって物体が検出され易くなる。よって、前記近接センサの検出領域に物体が存在する場合には、前記近接センサによって物体が確実に検出されて、前記タッチパネルを介する操作の受付が禁止されるため、タッチパネルからの誤入力を確実に防止することができるのである。
【００１２】
また、本発明に係る携帯電話装置は、前記通話開始判定手段が、発信操作、又は、着信時の通話開始操作が、前記タッチパネルを介して受け付けられた場合に、電話での通話が開始されると判定することが好ましい。
【００１３】
かかる構成を備える携帯電話装置によれば、発信操作、又は、着信時の通話開始操作が、前記タッチパネルを介して受け付けられた場合に、電話での通話が開始されると判定されるため、電話での通話が開始されるか否かを正確に判定することができる。
【００１４】
ここで、「電話での通話が開始される」状態とは、本発明においては、実際に電話での通話が開始される場合に限らず、ユーザが通話をするために、タッチパネルに耳等を近付ける動作を行う可能性のある状態を指している。例えば、通話をするために、ユーザが発信操作をした場合には、発信先の相手が電話に出ない場合には、結果的には電話での通話は開始さないのであるが、このような場合にも、ユーザはタッチパネルに耳等を近付ける動作を行う可能性があるため、本発明においては、「電話での通話が開始される」状態に含まれるものとする。
【００１５】
また、本発明に係る携帯電話装置は、前記通話開始判定手段によって電話での通話が開始されると判定され、前記感度調整手段によって前記近接センサの感度が上げられた時点から、予め設定された閾値時間を経過するまでに、前記近接センサが物体を検出しているか否かを判定する過検出判定手段を更に備え、前記感度調整手段が、前記過検出判定手段によって前記近接センサが物体を検出していると判定された場合に、前記近接センサの感度を下げることが好ましい。
【００１６】
かかる構成を備える携帯電話装置によれば、電話での通話が開始されると判定され、前記近接センサの感度が上げられた時点から、予め設定された閾値時間（例えば、０．１秒）を経過するまでに、前記近接センサが物体を検出している（過検出状態である）か否かが判定される。そして、前記近接センサが物体を検出している（過検出状態である）と判定された場合に、前記近接センサの感度が下げられるため、前記近接センサの感度を適正に設定することができる。
【００１７】
すなわち、近接センサの感度が上げられると、例えば、近接センサが反射型赤外線センサである場合には、赤外線発光素子から赤外線が放出されて、当該携帯電話装置の筐体の一部を構成するセンサ窓で反射された赤外線が赤外線受光素子で検出されて、物体が存在すると判定される虞がある。このような過検出状態であるか否かが、ここでは、電話での通話が開始されると判定され、前記近接センサの感度が上げられた時点から、予め設定された閾値時間（例えば、０．１秒）を経過するまでに、前記近接センサが物体を検出しているか否かによって判定される。そして、過検出状態である場合には、前記近接センサの感度が下げられるため、前記近接センサの感度を適正に設定することができるのである。
【００１８】
また、本発明に係る携帯電話装置は、前記操作禁止手段が、前記通話開始判定手段によって電話での通話が開始されると判定され、前記感度調整手段によって前記近接センサの感度が上げられた時点から、前記閾値時間を経過した後に、前記近接センサによって物体が存在することが検出されている場合に、前記タッチパネルを介する操作の受付を禁止することが好ましい。
【００１９】
かかる構成を備える携帯電話装置によれば、電話での通話が開始されると判定され、前記近接センサの感度が上げられた時点から、前記閾値時間（例えば、０．１秒）を経過した後に、前記近接センサによって物体が存在することが検出されている場合に、前記タッチパネルを介する操作の受付が禁止されるため、タッチパネルからの誤入力を更に確実に防止することができる。
【００２０】
また、本発明に係る携帯電話装置は、前記感度調整手段が、前記近接センサの感度を通常感度と高感度とに切り換え可能に構成され、前記通話開始判定手段によって電話での通話が開始されると判定されている場合に、前記近接センサの感度を高感度に切り換え、前記過検出判定手段によって前記近接センサが物体を検出していると判定されている場合に、前記近接センサの感度を通常感度に切り換えることが好ましい。
【００２１】
かかる構成を備える携帯電話装置によれば、前記近接センサの感度が通常感度と高感度とに切り換え可能に構成され、電話での通話が開始されると判定されている場合に、前記近接センサの感度が高感度に切り換えられ、前記近接センサが物体を検出していると判定されている場合に、前記近接センサの感度が通常感度に切り換えられるため、簡素な構成で前記近接センサの感度を適正に調整することができる。
【００２２】
また、本発明に係る携帯電話装置は、前記操作禁止手段が、前記近接センサによって物体が存在することが検出されていない場合に、前記タッチパネルを介する操作の受付を許可することが好ましい。
【００２３】
かかる構成を備える携帯電話装置によれば、前記近接センサによって物体が存在することが検出されていない場合に、前記タッチパネルを介する操作の受付が許可されるため、タッチパネルからの誤入力を適正に防止することができる。
【００２４】
すなわち、前記通話開始判定手段によって電話での通話が開始されると判定され、且つ、前記近接センサによって物体が存在することが検出されたときに、一旦、前記タッチパネルを介する操作の受付が禁止されるが、その後、前記近接センサによって物体が存在することが検出されていない状態になれば、前記タッチパネルを介する操作の受付が許可されるため、タッチパネルからの誤入力を適正に防止することができるのである。
【００２５】
また、本発明に係る携帯電話装置は、前記通話が終了すると共に、前記近接センサによって物体が存在することが検出されていない場合に、前記操作禁止手段の動作を終了させる禁止動作終了手段を更に備えることが好ましい。
【００２６】
かかる構成を備える携帯電話装置によれば、前記通話が終了すると共に、前記近接センサによって物体が存在することが検出されていない場合に、前記操作禁止手段の動作（すなわち、前記タッチパネルを介する操作の受付を禁止する動作）が終了されるため、前記タッチパネルを介する操作の受付を禁止する動作を適正な時点で終了することができる。
【００２７】
また、本発明に係る携帯電話装置は、前記近接センサが、通話に用いられるスピーカの近傍に存在する物体を検出することが好ましい。
【００２８】
かかる構成を備える携帯電話装置によれば、前記近接センサによって、通話に用いられるスピーカの近傍に存在する物体が検出されるため、タッチパネルからの誤入力を更に確実に防止することができる。
【００２９】
また、本発明に係る携帯電話装置は、前記近接センサが、赤外線発光素子及び赤外線受光素子を備え、前記感度調整手段が、前記赤外線受光素子の感度を調整することが好ましい。
【００３０】
かかる構成を備える携帯電話装置によれば、前記近接センサが、赤外線発光素子及び赤外線受光素子を備え、前記赤外線受光素子の感度が調整されるため、簡素な構成で前記近接センサを実現することができる。
【発明の効果】
【００３１】
本発明に係る携帯電話装置によれば、近接センサによって、前記タッチパネルに対向する側に存在する物体が検出される。また、電話での通話が開始されると判定された場合に、前記近接センサの感度が上げられる。そして、電話での通話が開始されると判定され、且つ、前記近接センサによって物体が存在することが検出されている場合に、前記タッチパネルを介する操作の受付が禁止されるため、タッチパネルからの誤入力を確実に防止することができる。
【００３２】
すなわち、電話での通話が開始されると判定された場合に、前記近接センサの感度が上げられるため、前記近接センサによって物体が検出され易くなる。よって、前記近接センサの検出領域に物体が存在する場合には、前記近接センサによって物体が確実に検出されて、前記タッチパネルを介する操作の受付が禁止されるため、タッチパネルからの誤入力を確実に防止することができるのである。
【図面の簡単な説明】
【００３３】
【図１】本発明に係る携帯電話装置の外観の一例を示す正面図である。
【図２】図１に示す携帯電話装置の構成を示すブロック図である。
【図３】図１に示す近接センサの検出範囲の一例を示す概念図である。
【図４】図１に示す近接センサの構成の一例を示す断面図である。
【図５】図１に示す携帯電話装置の機能構成の一例を示すブロック図である。
【図６】図１に示す携帯電話装置に表示される画面の一例を示す画面図である。
【図７】図１に示す携帯電話装置の動作の一例を示すフローチャート（前半部）である。
【図８】図１に示す携帯電話装置の動作の一例を示すフローチャート（後半部）である。
【発明を実施するための形態】
【００３４】
以下、本発明の実施の形態について、図面を参照して説明する。
【００３５】
−携帯電話装置の基本構造−
まず、本発明に係る携帯電話装置１００の基本構造について、図１を参照して説明する。図１は、本発明に係る携帯電話装置１００の外観の一例を示す正面図である。携帯電話装置１００は、タッチパネルを介する操作が可能に構成された携帯電話装置であって、図１に示すように、ここでは、いわゆるスマートフォンとして構成され、筐体１、タッチパネル２、ＬＣＤ３、スピーカ４、マイクロホン５、近接センサ６、及び、操作キー１１を備えている。
【００３６】
筐体１は、タッチパネル２、ＬＣＤ３、スピーカ４、マイクロホン５、近接センサ６、及び、操作キー１１を収容するものであって、樹脂、ステンレス等から構成されている。操作キー１１は、ユーザからの押圧操作を受け付けるものであって、操作キー１１が押圧操作されたときには、例えば、ＬＣＤ３にメニュー画面（初期画面）が表示される。メニュー画面には、例えば、種々のアイコンが選択可能に表示される。メニュー画面に表示されたアイコンがユーザによってタッチされたことがタッチパネル２によって検出された場合には、タッチされたアイコンにリンクされているアプリケーションプログラム（例えば、電話機能を有するアプリケーションプログラム等）が実行される。
【００３７】
タッチパネル２は、当該タッチパネル２上に当接（タッチ又はポイント）される指先の位置を検出するものであって、例えば、指先と導電膜との間での静電容量の変化に基づいて位置を検出する静電容量式タッチパネルである。なお、タッチパネル２は、ＬＣＤ３の上面にＬＣＤ３と一体に配設されている。
【００３８】
ＬＣＤ（Ｌｉｑｕｉｄ  Ｃｒｙｓｔａｌ  Ｄｉｓｐｌａｙ）３は、例えば、種々の画像を表示するカラーディスプレイであって、タッチパネル２の下面にタッチパネル２と一体に配設されている。ＬＣＤ３には、例えば、図６に示す受信画面２００、通話中画面２１０等が表示される。
【００３９】
スピーカ４は、通話時に、通話先の電話機へ入力される音声（主に、通話相手の声）を出力するものである。携帯電話装置１００のユーザは、通話時にスピーカ４から出力される音声を聞くために、自分の耳をスピーカ４に近付ける動作をする。
【００４０】
マイクロホン５は、通話時に、通話先の電話機へ出力する音声（主に、ユーザの声）を入力するものである。携帯電話装置１００のユーザは、マイクロホン５へユーザの声を入力するために、マイクロホン５を自分の口の方向に向ける。
【００４１】
近接センサ６は、タッチパネル２に対向する側に存在する物体を検出するセンサであって、ここでは、反射型赤外線センサ（図４参照）等から構成されている。また、近接センサ６は、スピーカ４に近接して配設され、スピーカ４の近傍に存在する物体（例えば、ユーザの耳、髪等）を検出する。
【００４２】
このように、近接センサ６によって、通話に用いられるスピーカ４の近傍に存在する物体が検出されるため、タッチパネル２からの誤入力を確実に防止することができる。すなわち、電話での通話が開始される場合には、ユーザはタッチパネル２に耳を近付ける動作を行うため、タッチパネル２からの誤入力が発生する虞があるところ、後述するように、近接センサ６によってスピーカ４の近傍に存在する物体Ｐが検出されているときには、タッチパネル２からの入力操作が禁止されるため、タッチパネル２からの誤入力を防止することができるのである。
【００４３】
本実施形態では、近接センサ６がスピーカ４に近接して配設される場合について説明するが、近接センサ６がスピーカ４の近傍に存在する物体Ｐを検出可能に構成されている形態であればよい。
【００４４】
−携帯電話装置の構成−
次に、図２を参照して、携帯電話装置１００の構成について説明する。図２は、図１に示す携帯電話装置１００の構成を示すブロック図である。図２に示すように、携帯電話装置１００は、図１を参照して説明したタッチパネル２、ＬＣＤ３、スピーカ４、マイクロホン５、及び、近接センサ６に加えて、表示制御部３１、音声出力制御部４１、音声入力制御部５１、センサ制御部６１、ＣＰＵ７、メモリ８、通信制御部９、及び、アンテナ９１を備えている。
【００４５】
表示制御部３１、音声出力制御部４１、音声入力制御部５１、及び、センサ制御部６１は、それぞれ、ＬＣＤ３、スピーカ４、マイクロホン５、及び、近接センサ６とＣＰＵ７との間に介設され、ＣＰＵ７からの指示に従って、ＬＣＤ３、スピーカ４、マイクロホン５、及び、近接センサ６を制御するものである。
【００４６】
ＣＰＵ（Ｃｅｎｔｒａｌ  Ｐｒｏｃｅｓｓｉｎｇ  Ｕｎｉｔ）７は、携帯電話装置１００全体の制御を行うものであって、ＲＯＭ（Ｒｅａｄ  Ｏｎｌｙ  Ｍｅｍｏｒｙ）等に記憶された制御プログラムを読み出して実行することによって、種々の機能部として機能する（図５参照）。
【００４７】
メモリ８は、ＳＤカード等のフラッシュメモリ（不揮発性メモリ）からなり、アプリケーションプログラム等の種々のデータを読み書き自在に記憶するものである。また、メモリ８には、氏名情報と電話番号情報とを対応付けて記憶する電話帳データが記憶されている。例えば、電話機能を有するアプリケーションプログラムは、電話帳データを参照して、ユーザが通話を所望する相手の電話番号をＬＣＤ３に選択可能に表示する。
【００４８】
通信制御部９は、アンテナ９１を介して、基地局と種々のデータを通信するものであって、例えば、通話時には、音声データの送受信を行う。また、通話時には、相手方の電話装置（又は、携帯電話装置）が、当該携帯電話装置１００が通信可能に接続された基地局と通信可能に接続され、当該携帯電話装置１００と相手方の電話装置（又は、携帯電話装置）との通話が可能となる。
【００４９】
−近接センサの構成−
次に、図３、図４を参照して、近接センサ６の構成について説明する。図３は、図１に示す近接センサ６の検出範囲の一例を示す概念図である。図４は、図１に示す近接センサ６の構成の一例を示す断面図である。
【００５０】
図３（ａ）は、図１に示す携帯電話装置１００の側面図であり、図３（ｂ）は、図１に示す携帯電話装置１００の上面図である。検出領域Ｒは、近接センサ６から、タッチパネル２に対向する側に存在する物体Ｐを検出するべく、近接センサ６を頂点とする細長い逆円錐状に形成されている。また、近接センサ６は、図３（ｂ）に示すように、スピーカ４に近接して配設されているため、通話時等にスピーカ４の近傍に存在する物体Ｐ（例えば、ユーザの耳、髪等）を検出することができる。
【００５１】
次に、図４を参照して、近接センサ６の構成を説明する。図４は、図３（ａ）のＡ−Ａ断面図である。図４に示すように、近接センサ６は、反射型の赤外線センサであって、センサ制御部６１、赤外線発光素子６２、及び、赤外線受光素子６３を備えている。
【００５２】
赤外線発光素子６２は、センサ制御部６１を介したＣＰＵ７からの指示に従って、赤外線発光する発光ダイオード（ＬＥＤ：Ｌｉｇｈｔ  Ｅｍｉｔｔｉｎｇ  Ｄｉｏｄｅ）等の素子である。また、赤外線発光素子６２は、透光性を有する樹脂６２１で図略の基板上にモールドされて固定されている。
【００５３】
赤外線受光素子６３は、センサ制御部６１を介したＣＰＵ７からの指示に従って、赤外線を受光するフォトダイオード等の素子である。また、赤外線受光素子６３は、透光性を有する樹脂６３１で図略の基板上にモールドされて固定されている。
【００５４】
センサ制御部６１は、ＣＰＵ７からの指示に従って、近接センサ６を制御するものであって、例えば、ＩＣ（Ｉｎｔｅｇｒａｔｅｄ  Ｃｉｒｃｕｉｔ）等から構成されている。また、センサ制御部６１は、遮光性を有する樹脂６１１で図略の基板上にモールド固定されている。センサ制御部６１は、具体的には、ＣＰＵ７からの指示に従って、赤外線発光素子６２に対して発光を指示する。また、センサ制御部６１は、ＣＰＵ７からの指示に従って、赤外線受光素子６３に対して感度Ｓを設定する。更に、センサ制御部６１は、赤外線受光素子６３によって物体Ｐが検出されたか否かを示す信号をＣＰＵ７へ出力する。
【００５５】
赤外線発光素子６２と物体Ｐとの間には、センサ窓１２が配設されている。センサ窓１２は、透光性を有する樹脂で形成され、図１に示す筐体１の一部を構成する。なお、センサ窓１２の周囲には、センサ窓１２を支持する支持部材１４が配設されている。支持部材１４は、遮光性を有する樹脂等からなり、図１に示す筐体１の一部を構成する。また、センサ窓１２には、水分、汚れ等がセンサ窓１２に付着することを防止する皮膜１３が形成されている。
【００５６】
図４に示すように、赤外線発光素子６２から発光された赤外線ＬＡは、樹脂６２１、センサ窓１２を順次透過して、耳、髪等の物体Ｐで反射される。そして、反射光ＬＢが、センサ窓１２、樹脂６３１を順次透過して、赤外線受光素子６３に到達し、物体Ｐの存在が検出される。また、近接センサ６が、赤外線発光素子６２及び赤外線受光素子６３を備え、センサ制御部６１によって赤外線受光素子６３の感度が調整されるため、簡素な構成で近接センサ６を実現することができる。
【００５７】
本実施形態では、近接センサ６が反射型の赤外線センサである場合について説明するが、近接センサ６がその他の方式（静電容量型）のセンサである形態でもよい。
【００５８】
−携帯電話装置の機能構成−
次に、図５を参照して、携帯電話装置１００の機能構成について説明する。図５は、図１に示す携帯電話装置１００の機能構成の一例を示すブロック図である。ＣＰＵ７は、ＲＯＭ（Ｒｅａｄ  Ｏｎｌｙ  Ｍｅｍｏｒｙ）等に記憶された制御プログラムを読み出して実行することによって、機能的に、操作受付部７１、通話開始判定部７２、感度調整部７３、過検出判定部７４、物体検出部７５、操作禁止部７６、及び、禁止動作終了部７７等として機能する。ここで、なお、操作受付部７１、通話開始判定部７２、感度調整部７３、過検出判定部７４、物体検出部７５、操作禁止部７６、及び、禁止動作終了部７７は、本発明に係る「携帯電話装置１００」の一部を構成している。
【００５９】
操作受付部７１は、タッチパネル２を介して操作入力を受け付ける機能部である。ただし、操作禁止部７６によって、タッチパネル２を介する操作の受付が禁止されている場合には、操作受付部７１は、その指示に従う（操作入力を受け付けない）。
【００６０】
通話開始判定部７２は、電話での通話が開始されることを判定する機能部である。ここで、通話開始判定部７２は、特許請求の範囲に記載の「通話開始判定手段」に相当する。また、通話開始判定部７２は、具体的には、操作受付部７１によって、発信操作、又は、着信時の通話開始操作が、タッチパネル２を介して受け付けられた場合に、電話での通話が開始されると判定する。
【００６１】
ここで、「発信操作」とは、通話する相手の携帯電話装置（又は、固定電話装置）の電話番号を選択して、発信する操作である。また、「通話開始操作」とは、相手の携帯電話装置（又は、固定電話装置）からの着信があった場合に、通話を開始する操作である。
【００６２】
ただし、「電話での通話が開始される」状態とは、本発明においては、実際に電話での通話が開始される場合に限らず、ユーザが通話をするために、タッチパネル２に耳を近付ける動作を行う可能性のある状態を指している。例えば、通話をするために、ユーザが発信操作をした場合には、発信先の相手が電話に出ない場合には、結果的には電話での通話は開始さないのであるが、このような場合にも、ユーザはタッチパネル２に耳を近付ける動作を行う可能性があるため、本発明においては、「電話での通話が開始される」状態に含まれるものとする。
【００６３】
ここで、図６を参照して、通話開始操作の一例を説明する。図６（ａ）は、ＣＰＵ７によって電話の着信が検出された場合に、ＣＰＵ７によってＬＣＤ３に表示される着信画面２００の一例を示す画面図である。着信画面２００には、メッセージ表示部２０１、通話ボタン２０２、及び、拒否ボタン２０３が表示されている。
【００６４】
メッセージ表示部２０１は、着信相手の氏名（又は、電話番号）を表示するものであって、ここでは、「○○さんから電話です」と表示されている。
【００６５】
通話ボタン２０２は、ユーザが通話を開始する場合にタッチされるボタンである。なお、通話ボタン２０２がタッチされたことは、タッチパネル２を介して操作受付部７１によって受け付けられる。また、通話ボタン２０２がタッチされた場合には、ＣＰＵ７からの指示に基づいて通話動作（音声信号の送受信動作）が開始される。通話ボタン２０２にタッチする操作が「通話開始操作」に相当する。
【００６６】
拒否ボタン２０３は、ユーザが通話を拒否する場合にタッチされるボタンである。なお、拒否ボタン２０３がタッチされたことは、タッチパネル２を介して操作受付部７１によって受け付けられる。また、拒否ボタン２０３がタッチされた場合には、ＣＰＵ７からの指示に基づいて、例えば、着信相手に対して何らかのメッセージ（例えば、「ただいま、電話に出ることができません。」等）が音声ガイダンスとして通知される。
【００６７】
上述のように、発信操作、又は、着信時の通話開始操作が、タッチパネル２を介して受け付けられた場合に、電話での通話が開始されると判定されるため、電話での通話が開始されるか否かを正確に判定することができる。
【００６８】
再び、図５に戻って、ＣＰＵ７の機能構成について説明する。
【００６９】
感度調整部７３は、通話開始判定部７２によって電話での通話が開始されると判定された場合に、近接センサ６の感度を上げる機能部である。ここで、感度調整部７３は、特許請求の範囲に記載の「感度調整手段」に相当する。本実施形態では、近接センサ６の感度が、「通常感度ＳＬ」と「高感度ＳＨ」との２段階に切り換え可能に構成されている場合について説明する。すなわち、感度調整部７３は、通話開始判定部７２によって電話での通話が開始されると判定された場合に、近接センサ６の感度を「通常感度ＳＬ」から「高感度ＳＨ」に切り換える。また、感度調整部７３は、過検出判定部７４によって近接センサ６が物体を検出している（過検出状態である）と判定されている場合に、近接センサ６の感度を「高感度ＳＨ」から「通常感度ＳＬ」に切り換える。
【００７０】
このようにして、近接センサ６の感度が「通常感度ＳＬ」と「高感度ＳＨ」とに切り換え可能に構成され、電話での通話が開始されると判定されている場合に、近接センサ６の感度が「高感度ＳＨ」に切り換えられ、近接センサ６が物体を検出している（過検出状態である）と判定されている場合に、近接センサ６の感度が「通常感度ＳＬ」に切り換えられるため、簡素な構成で近接センサ６の感度を適正に調整することができる。
【００７１】
本実施形態では、近接センサ６の感度が「通常感度ＳＬ」と「高感度ＳＨ」とに切り換え可能に構成されている場合について説明するが、近接センサ６の感度が３段階以上に（又は、無段階に）切り換え可能に構成されている形態でもよい。この場合には、近接センサ６の感度を更に適正に調整することが可能となる。具体的には、例えば、電話での通話が開始されると判定されている場合に、近接センサ６の感度を最も高い感度に設定し、過検出判定部７４によって過検出状態であると判定されている場合には、過検出判定部７４によって過検出状態であると判定されなくなるまで、近接センサ６の感度を１段階ずつ低下させればよい。
【００７２】
過検出判定部７４は、通話開始判定部７２によって電話での通話が開始されると判定され、感度調整部７３によって近接センサ６の感度が上げられた時点から、予め設定された閾値時間Ｔｓｈ（例えば、０．１秒）を経過するまでに、近接センサ６が物体を検出している（過検出状態である）か否かを判定する機能部である。ここで、過検出判定部７４は、特許請求の範囲に記載の「過検出判定手段」に相当する。
【００７３】
すなわち、近接センサ６の感度が上げられると、赤外線発光素子６２から赤外線が放出されて、携帯電話装置１００の筐体１の一部を構成するセンサ窓１２又は皮膜１３（又は、皮膜１３に付着した汚れ等）で反射された赤外線が赤外線受光素子６３で検出されて、物体が存在すると判定される虞がある。このような過検出状態であるか否かが、ここでは、電話での通話が開始されると判定されて、近接センサ６の感度が「高感度ＳＨ」に上げられた時点から、予め設定された閾値時間Ｔｓｈ（例えば、０．１秒）を経過するまでに、近接センサ６が物体を検出しているか否かによって判定される。したがって、過検出状態であるか否かを簡素な構成で正確に判定することができる。
【００７４】
過検出判定部７４による過検出状態であるか否かの判定は、「電話での通話が開始されると判定されて、近接センサ６の感度が『高感度ＳＨ』に上げられた時点から、予め設定された閾値時間Ｔｓｈ（例えば、０．１秒）を経過するまでに、近接センサ６によって物体Ｐ（例えば、ユーザの耳、髪等）が検出されることはない」ことを前提条件としている。ここで、電話での通話が開始されると判定される直前には、発信操作、又は、着信時の通話開始操作が、タッチパネル２を介して受け付けられているため、ユーザは指先でタッチパネル２を操作している。よって、このタッチパネル２の操作から、ユーザが耳をスピーカ４に近接して配設された近接センサ６が検出可能な位置（例えば、図３に示すように、近接センサ６から真上に１０ｃｍ以内の位置）まで近付けるためには、所定時間Ｔｍ（例えば、０．５秒）以上経過していることが想定されるため、上記前提条件が成立するのである。
【００７５】
本実施形態では、過検出判定部７４が、近接センサ６の感度が上げられた時点から閾値時間Ｔｓｈを経過するまでに近接センサ６が物体を検出しているか否かに応じて、近接センサ６が過検出状態であるか否かを判定する場合について説明するが、過検出判定部７４が、その他の方法で、近接センサ６が過検出状態であるか否かを判定する形態でもよい。例えば、過検出判定部７４が、近接センサ６によって検出された物体Ｐの位置が予め設定された範囲（例えば、近接センサ６から１ｃｍ以内の位置）であるか否かに応じて近接センサ６が過検出状態であるか否かを判定する形態でもよい。なお、近接センサ６から物体Ｐまでの距離は、例えば、赤外線発光素子６２から赤外線ＬＡが発光されてから、赤外線受光素子６３に物体Ｐからの反射光ＬＢが入射されるまでの時間を測定することによって検出することが可能である（図４参照）。
【００７６】
物体検出部７５は、通話開始判定部７２によって電話での通話が開始されると判定されて、感度調整部７３によって近接センサ６の感度が上げられた時点から、閾値時間Ｔｓｈ（例えば、０．１秒）を経過した後に、近接センサ６によって物体が存在すると検出されているか否かを判定する機能部である。ここで、物体検出部７５は、特許請求の範囲に記載の「操作禁止手段」の一部に相当する。
【００７７】
操作禁止部７６は、物体検出部７５によって物体Ｐが存在すると検出されていると判定されている場合に、タッチパネル２を介する操作の受付を禁止する機能部である。ここで、操作禁止部７６は、特許請求の範囲に記載の「操作禁止手段」の一部に相当する。
【００７８】
具体的には、操作禁止部７６は、通話開始判定部７２によって電話での通話が開始されると判定され、感度調整部７３によって近接センサ６の感度が上げられた時点から、閾値時間Ｔｓｈを経過した後に、近接センサ６によって物体が存在することが検出されている場合に、操作受付部７１に対して、タッチパネル２を介する操作の受付を禁止する指示を行い、この指示に従って、操作受付部７１が、タッチパネル２を介する操作入力を受け付けない状態となる。
【００７９】
また、操作禁止部７６によって、一旦、タッチパネル２を介する操作の受付が禁止された後に、物体検出部７５によって物体が存在しないと検出されていると判定されている場合には、タッチパネル２を介する操作の受付が許可される。
【００８０】
上述のように、電話での通話が開始されると判定され、近接センサ６の感度が上げられた時点から、閾値時間Ｔｓｈ（例えば、０．１秒）を経過した後に、近接センサ６によって物体Ｐが存在することが検出されている場合に、タッチパネル２を介する操作の受付が禁止されるため、タッチパネル２からの誤入力を確実に防止することができる。
【００８１】
すなわち、電話での通話が開始されるときに、ユーザが耳をスピーカ４に近付けた際には、タッチパネル２を介する操作の受付が禁止されているため、ユーザの頬、髪等がタッチパネル２に当接することによってタッチパネル２からの誤入力が発生することを確実に防止することができるのである。
【００８２】
また、電話での通話が開始されると判定され、近接センサ６の感度が上げられた時点から、閾値時間Ｔｓｈ（例えば、０．１秒）を経過するまでは、近接センサ６によって物体Ｐが存在することが検出された場合であっても、タッチパネル２を介する操作の受付が禁止されないため、近接センサ６の過検出等によってタッチパネル２の操作の受付が過度に禁止されることを回避することができる。
【００８３】
本実施形態では、閾値時間Ｔｓｈが予め設定されている場合について説明するが、閾値時間Ｔｓｈの値をユーザが設定可能に構成されている形態でもよい。この場合には、ユーザが、閾値時間Ｔｓｈを自分の操作に適した値に設定することができるため、利便性を向上することができる。
【００８４】
また、近接センサ６によって物体が存在することが検出されていない場合に、タッチパネル２を介する操作の受付が許可されるため、タッチパネル２からの誤入力を適正に防止することができる。
【００８５】
すなわち、通話開始判定部７２によって電話での通話が開始されると判定され、且つ、近接センサ６によって物体が存在することが検出されたときに、一旦、タッチパネル２を介する操作の受付が禁止されるが、その後、近接センサ６によって物体が存在することが検出されていない状態になれば、タッチパネル２を介する操作の受付が許可されるため、タッチパネル２からの誤入力を適正に防止することができるのである。
【００８６】
禁止動作終了部７７は、通話が終了すると共に、近接センサ６によって物体Ｐが存在することが検出されていない場合に、操作禁止部７６の動作を終了させる機能部である。ここで、禁止動作終了部７７は、特許請求の範囲に記載の「禁止動作終了手段」に相当する。具体的には、「通話が終了」したことは、例えば、タッチパネル２を介して、通話終了操作が受け付けられたこと、又は、通話相手との通信が切断されたことによって認識される。
【００８７】
ここで、図６を参照して、通話終了操作の一例を説明する。図６（ｂ）は、ＣＰＵ７によって通話中である検出された場合に、ＣＰＵ７によってＬＣＤ３に表示される通話中画面２１０の一例を示す画面図である。通話中画面２１０には、メッセージ表示部２１１、及び、終話ボタン２１２が表示されている。
【００８８】
メッセージ表示部２１１は、通話中の相手の氏名（又は、電話番号）を表示するものであって、ここでは、「○○さんと電話中です」と表示されている。
【００８９】
終話ボタン２１２は、通話を終了する場合にタッチされるボタンである。なお、終話ボタン２１２がタッチされたことは、タッチパネル２を介して操作受付部７１によって受け付けられる。また、終話ボタン２１２がタッチされた場合には、ＣＰＵ７からの指示に基づいて通話動作（音声信号の送受信動作）が終了される。
【００９０】
上述のようにして、通話が終了すると共に、近接センサ６によって物体が存在することが検出されていない場合に、操作禁止部７６の動作（すなわち、タッチパネル２を介する操作の受付を禁止する動作）が終了されるため、タッチパネル２を介する操作の受付を禁止する動作を適正な時点で終了することができる
−携帯電話装置の動作−
次に、図７、図８を参照して本発明に係る携帯電話装置１００の動作について説明する。図７、図８は、図１に示す携帯電話装置１００（主に、ＣＰＵ７）の動作の一例を示すフローチャートである。まず、図７に示すように、通話開始判定部７２によって、電話での通話が開始されるか否かの判定が行われる（ステップＳ１０１）。ステップＳ１０１でＮＯの場合には、処理が待機状態とされる。ステップＳ１０１でＹＥＳの場合には、処理がステップＳ１０３へ進められる。
【００９１】
そして、感度調整部７３によって、近接センサ６の感度が「高感度ＳＨ」に設定される（ステップＳ１０３）。次いで、過検出判定部７４によって、近接センサ６の検出結果が取得される（ステップＳ１０５）。次に、過検出判定部７４によって、ステップＳ１０５で取得された検出結果に基づいて、近接センサ６で物体が検出されているか否かの判定が行われる（ステップＳ１０７）。ステップＳ１０７でＮＯの場合には、処理がステップＳ１１１へ進められる。ステップＳ１０７でＹＥＳの場合には、処理がステップＳ１０９へ進められる。そして、過検出判定部７４によって、過検出状態であると判定されて、感度調整部７３によって、近接センサ６の感度が「通常感度ＳＬ」に設定される（ステップＳ１０９）。
【００９２】
ステップＳ１０７でＮＯの場合、又は、ステップＳ１０９の処理が終了した場合には、物体検出部７５によって、ステップＳ１０３において近接センサ６の感度が「高感度ＳＨ」に設定された時点から閾値時間Ｔｓｈ（ここでは、α秒）が経過したか否かの判定が行われる（ステップＳ１１１）。ステップＳ１１１でＮＯの場合には、処理がステップＳ１０５に戻され、ステップＳ１０５以降の処理が繰り返し実行される。ステップＳ１１１でＹＥＳの場合には、処理が図８に示すステップＳ１１３へ進められる。
【００９３】
次に、図８に示すように、物体検出部７５によって、近接センサ６の検出結果が取得される（ステップＳ１１３）。そして、物体検出部７５によって、ステップＳ１１３で取得された検出結果に基づいて、近接センサ６で物体が検出されているか否かの判定が行われる（ステップＳ１１５）。ステップＳ１１５でＹＥＳの場合には、処理がステップＳ１１７へ進められ、操作禁止部７６によって、タッチパネル２を介する操作の受付が禁止される（ステップＳ１１７）。ステップＳ１１５でＮＯの場合には、処理がステップＳ１１９へ進められて、操作禁止部７６によって、タッチパネル２を介する操作の受付が許可される（ステップＳ１１９）。
【００９４】
ステップＳ１１７の処理が終了した場合、又はステップＳ１１９の処理が終了した場合には、禁止動作終了部７７によって、通話が終了したか否かの判定が行われる（ステップＳ１２１）。ステップＳ１２１でＮＯの場合には、処理がステップＳ１１３へ戻され、ステップＳ１１３以降の処理が繰り返し実行される。ステップＳ１２１でＹＥＳの場合には、処理がステップＳ１２３へ進められる。
【００９５】
そして、禁止動作終了部７７によって、近接センサ６の検出結果が取得される（ステップＳ１２３）。そして、禁止動作終了部７７によって、ステップＳ１２３で取得された検出結果に基づいて、近接センサ６で物体が検出されているか否かの判定が行われる（ステップＳ１２５）。ステップＳ１２５でＮＯの場合には、処理がステップＳ１２３へ戻され、ステップＳ１２３以降の処理が繰り返し実行される。ステップＳ１２５でＹＥＳの場合には、処理がステップＳ１２７へ進められる。そして、禁止動作終了部７７によって、操作禁止部７６の動作が終了されて、タッチパネル２を介する操作の受付が許可される（ステップＳ１２７）。次いで、感度調整部７３によって、近接センサ６の感度が「通常感度ＳＬ」に設定されて（ステップＳ１２９）、処理がリターンされる。
【００９６】
このようにして、近接センサ６によって、タッチパネル２に対向する側に存在する物体Ｐが検出される。また、電話での通話が開始されると判定された場合に、近接センサ６の感度が上げられる。そして、電話での通話が開始されると判定され、且つ、近接センサ６によって物体Ｐが存在することが検出されている場合に、タッチパネル２を介する操作の受付が禁止されるため、タッチパネル２からの誤入力を確実に防止することができる。
【００９７】
すなわち、電話での通話が開始されると判定された場合に、近接センサ６の感度が上げられるため、近接センサ６によって物体Ｐが検出され易くなる。よって、近接センサ６の検出領域に物体Ｐが存在する場合には、近接センサ６によって物体Ｐが確実に検出されて、タッチパネル２を介する操作の受付が禁止されるため、タッチパネル２からの誤入力を確実に防止することができるのである。
【００９８】
−他の実施形態−
本実施形態では、携帯電話装置１００（ＣＰＵ７）が操作受付部７１、通話開始判定部７２、感度調整部７３、過検出判定部７４、物体検出部７５、操作禁止部７６、及び、禁止動作終了部７７等の機能部を有する場合について説明するが、操作受付部７１、通話開始判定部７２、感度調整部７３、過検出判定部７４、物体検出部７５、操作禁止部７６、及び、禁止動作終了部７７の少なくとも１つの機能部が、電子回路等のハードウェアで構成されている形態でもよい。
【産業上の利用可能性】
【００９９】
本発明は、タッチパネルを介する操作が可能に構成された携帯電話装置に利用することができる。
【符号の説明】
【０１００】
１００  携帯電話装置
１  筐体
１１  操作キー
１２  センサ窓
２  タッチパネル
３  ＬＣＤ
４  スピーカ
５  マイクロホン
６  近接センサ
６１  センサ制御部
６２  赤外線発光素子
６３  赤外線受光素子
７  ＣＰＵ
７１  操作受付部
７２  通話開始判定部（通話開始判定手段）
７３  感度調整部（感度調整手段）
７４  過検出判定部（過検出判定手段）
７５  物体検出部（操作禁止手段の一部）
７６  操作禁止部（操作禁止手段の一部）
７７  禁止動作終了部（禁止動作終了手段）
８  メモリ
９  通信制御部
【図１】
2014011507.tif 000003
【図２】
2014011507.tif 000004
【図３】
2014011507.tif 000005
【図４】
2014011507.tif 000006
【図５】
2014011507.tif 000007
【図６】
2014011507.tif 000008
【図７】
2014011507.tif 000009
【図８】
2014011507.tif 000010